(57)【要約】【課題】操作性を低下させることなく、操作者の所望とする項目を見つけ易くする。【解決手段】表示装置１は、表示部１４と、操作受付部１０２と、表示制御部１０１と、項目絞込み部１０３とを備えている。表示制御部１０１は、操作受付部１０２が受け付けたスクロール操作に従い表示部１４に表示されるリストをスクロール表示させるとともに、リストに列挙された複数の項目のうち終端の項目が表示部１４に表示された場合には、当該終端の項目に続けて、複数の項目に対する絞込み条件が入力可能な入力欄を含む検索画面を表示部１４に表示させる。そして、表示制御部１０１は、項目絞込み部１０３が検索画面の入力欄に入力された絞込み条件を受け付けた場合、項目絞込み部１０３による絞込み結果に応じたリストを検索画面に続けて表示部１４に表示させる。【選択図】図２
2015162134.tif 000002
【特許請求の範囲】
【請求項１】
複数の項目が予め定められた順序で列挙されてなるリストを表示する表示部と、
前記表示部に表示された前記リストに対するスクロール操作を受け付ける操作受付部と、
前記操作受付部が受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能なことを示す入力欄を含む検索画面を前記表示部に表示させる表示制御部と、
前記絞込み条件を受け付けるとともに、当該受け付けた絞込み条件に基づき前記複数の項目を絞込む項目絞込み部と、を備え、
前記表示制御部は、前記項目絞込み部が前記絞込み条件を受け付けた場合、前記項目絞込み部による絞込み結果に応じたリストを前記検索画面に続けて前記表示部に表示させる、表示装置。
【請求項２】
前記表示制御部は、前記複数の項目のうち前記項目絞込み部が絞込んだ項目のみを列挙されてなるリストを前記検索画面に続けて前記表示部に表示させる、請求項１に記載の表示装置。
【請求項３】
前記表示制御部は、前記複数の項目のうち前記項目絞込み部が絞込んだ項目をそれ以外の項目と表示形態を異ならせて列挙されてなるリストを前記検索画面に続けて前記表示部に表示させる、請求項１に記載の表示装置。
【請求項４】
前記リストに列挙されてなる前記複数の項目を、それぞれ複数の属性情報と対応付けて記憶する記憶部を、更に備え、
前記項目絞込み部は、受け付けた絞込み条件に合致する属性情報に対応付けられて前記記憶部に記憶されている項目に絞込む、請求項１乃至請求項３の何れか１項に記載の表示装置。
【請求項５】
表示部に表示された複数の項目が予め定められた順序で列挙されてなるリストに対するスクロール操作を受け付ける操作受付部と、
前記操作受付部が受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能なことを示す入力欄を含む検索画面を前記表示部に表示させる表示制御部と、
前記絞込み条件を受け付けるとともに、当該受け付けた絞込み条件に基づき前記複数の項目を絞込む項目絞込み部として、コンピューターを機能させ、
更に、前記項目絞込み部が前記絞込み条件を受け付けた場合、前記表示制御部が前記項目絞込み部による絞込み結果に応じたリストを前記検索画面に続けて前記表示部に表示させるように、コンピューターを機能させる表示制御プログラム。
【請求項６】
表示部に表示された複数の項目が予め定められた順序で列挙されてなるリストに対するスクロール操作を受け付ける操作受付ステップと、
前記操作受付ステップで受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能なことを示す入力欄を含む検索画面を前記表示部に表示させる表示制御ステップと、
前記絞込み条件を受け付けるとともに、当該受け付けた絞込み条件に基づき前記複数の項目を絞込む項目絞込みステップと、を有し、
前記表示制御ステップでは、前記項目絞込みステップで前記絞込み条件を受け付けた場合に、前記項目絞込みステップでの絞込み結果に応じたリストを前記検索画面に続けて前記表示部に表示させる、表示制御方法。
【発明の詳細な説明】
【技術分野】
【０００１】
本発明は、表示装置、表示制御プログラム、および表示制御方法に関し、特に、複数の項目が列挙されてなるリストをスクロール表示させる技術に関する。
【背景技術】
【０００２】
画像形成装置、スマートフォン等の携帯端末、およびパーソナルコンピューター等では、その表示部に、アドレス帳などの複数の項目が予め定められた順序で列挙されてなるリストを表示する場合がある。例えば、アドレス帳では、複数の名前等が５０音順やアルファベット順に列挙して表示する。操作者によりスワイプ操作等のスクロール操作が入力されると、表示部に表示されるリストがスクロール表示される。これにより、操作者は、リストに列挙される複数の項目の中から所望の項目を見つけ選択することができる。
【０００３】
しかしながら、リストに列挙される項目が多い場合や似た項目が続いている場合等では、操作者が複数の項目の中から所望の項目を見つけ難い場合がある。この問題について、特許文献１には、表示部に表示されるリストをスクロール表示する際に、予めマーク付けしておいた位置でスクロール表示を停止させる技術が開示されている。これにより、操作者が所望の項目を見つけ易くすることができる。
【先行技術文献】
【特許文献】
【０００４】
【特許文献１】特開２０１３−１１４３３８号公報
【発明の概要】
【発明が解決しようとする課題】
【０００５】
しかしながら、上記の特許文献１に開示される技術では、操作者が予めリスト上の位置をマーク付けする必要があり、手間がかかるという問題がある。また、マーク付けした位置でスクロール表示が必ず停止されるため、マーク付けした位置に対応する項目以外の項目を見つける場合には、操作性が低下するという問題がある。
【０００６】
本発明は、上記の事情に鑑みなされたものであり、操作性を低下させることなく、操作者の所望とする項目を見つけ易くする表示装置、表示制御プログラム、および表示制御方法を提供することを目的とする。
【課題を解決するための手段】
【０００７】
本発明の一局面に係る表示装置は、複数の項目が予め定められた順序で列挙されてなるリストを表示する表示部と、前記表示部に表示された前記リストに対するスクロール操作を受け付ける操作受付部と、前記操作受付部が受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能なことを示す入力欄を含む検索画面を前記表示部に表示させる表示制御部と、前記絞込み条件を受け付けるとともに、当該受け付けた絞込み条件に基づき前記複数の項目を絞込む項目絞込み部と、を備え、前記表示制御部は、前記項目絞込み部が前記絞込み条件を受け付けた場合、前記項目絞込み部による絞込み結果に応じたリストを前記検索画面に続けて前記表示部に表示させる、表示装置である。
【０００８】
また、本発明の別の一局面に係る表示制御プログラムは、表示部に表示された複数の項目が予め定められた順序で列挙されてなるリストに対するスクロール操作を受け付ける操作受付部と、前記操作受付部が受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能な入力欄を含む検索画面を前記表示部に表示させる表示制御部と、前記検索画面の前記入力欄に入力された前記絞込み条件を受け付けるとともに、当該受け付けた絞込み条件に基づき前記複数の項目を絞込む項目絞込み部として、コンピューターを機能させ、更に、前記項目絞込み部が前記絞込み条件を受け付けた場合、前記表示制御部が前記項目絞込み部による絞込み結果に応じたリストを前記検索画面に続けて前記表示部に表示させるように、コンピューターを機能させる表示制御プログラムである。
【０００９】
また、本発明の別の一局面に係る表示制御方法は、表示部に表示された複数の項目が予め定められた順序で列挙されてなるリストに対するスクロール操作を受け付ける操作受付ステップと、前記操作受付ステップで受け付けたスクロール操作に従い前記表示部に表示される前記リストをスクロール表示させるとともに、前記リストに列挙された前記複数の項目のうち終端の項目が前記表示部に表示された場合には、当該終端の項目に続けて、前記複数の項目に対する絞込み条件が入力可能なことを示す入力欄を含む検索画面を前記表示部に表示させる表示制御ステップと、前記絞込み条件を受け付けるとともに、当該受け付けた絞込み条件に基づき前記複数の項目を絞込む項目絞込みステップと、を有し、前記表示制御ステップでは、前記項目絞込みステップで前記絞込み条件を受け付けた場合に、前記項目絞込みステップでの絞込み結果に応じたリストを前記検索画面に続けて前記表示部に表示させる、表示制御方法である。
【発明の効果】
【００１０】
上記の本発明の一局面に係る表示装置、表示制御プログラム、および表示制御方法によれば、操作性を低下させることなく、操作者の所望とする項目を見つけ易くすることができる。
【図面の簡単な説明】
【００１１】
【図１】本発明の一実施形態に係る表示装置の内部構成の概略を示すブロック図である。
【図２】本発明の一実施形態に係る表示装置におけるスクロール表示動作の流れを示すフローチャートである。
【図３】本発明の一実施形態に係る表示装置の表示部に表示されるアドレス帳の一例を示す図である。
【図４Ａ】本発明の一実施形態に係る表示装置の表示部に表示される検索画面の一例を示す図である。
【図４Ｂ】本発明の一実施形態に係る表示装置の表示部に表示される検索画面の一例を示す図である。
【図４Ｃ】本発明の一実施形態に係る表示装置の表示部に表示される検索画面の一例を示す図である。
【図５】本発明の一実施形態に係る表示装置の絞込み条件記憶部に記憶されている内容の一例を示す図である。
【図６】本発明の一実施形態に係る表示装置のリスト記憶部に記憶されている内容の一例を示す図である。
【図７】本発明の変形例１に係る表示装置におけるスクロール表示動作の流れを示すフローチャートである。
【図８】本発明の変形例１に係る表示装置の表示部に表示されるアドレス帳の絞込み結果の一例を示す図である。
【図９】（Ａ）は、本発明の変形例２にかかる表示装置の設定画面の一例を示す図であり、図９（Ｂ）は、本発明の変形例２にかかる表示装置に表示されるアドレス帳の一例を示す図である。
【発明を実施するための形態】
【００１２】
以下、本発明の一実施形態に係る表示装置、表示制御プログラム、および表示制御方法について図面を参照して説明する。図１は、本発明の一実施形態に係る表示装置の内部構成の概略を示すブロック図である。
【００１３】
本発明の一実施形態に係る表示装置１は、例えば、スマートフォン等の携帯モバイル機器であって、制御ユニット１０と、ＲＯＭ１１と、ＲＡＭ１２と、ＨＤＤ１３と、表示部１４と、通信インターフェイス１５とを備えている。これら各部は、互いにＣＰＵバスによりデータ又は信号の送受信が可能とされている。
【００１４】
制御ユニット１０は、ＣＰＵ（Central Processing Unit）等からなり、表示装置１全体の動作制御を司る。ＲＯＭ１１は、表示装置１の基本動作についての動作プログラムを記憶する。ＲＡＭ１２は、制御ユニット１０の動作領域等として使用される。
【００１５】
ＨＤＤ（Hard disk drive）１３は、その記憶領域の一部に、印刷の対象とする文書データ又は画像データ等の各種データを記憶する。ＨＤＤ１３には、本発明の一実施形態に係る表示制御プログラムが記憶されている。制御ユニット１０は、当該表示制御プログラムに従って動作することで、制御部１００、表示制御部１０１、操作受付部１０２、項目絞込み部１０３、リスト管理部１０４、および絞込み条件管理部１０５として機能する。なお、制御ユニット１０の制御部１００、表示制御部１０１、操作受付部１０２、項目絞込み部１０３、リスト管理部１０４、および絞込み条件管理部１０５は、表示制御プログラムに基づく動作によらず、それぞれハード回路により構成されてもよい。
【００１６】
また、ＨＤＤ１３は、リスト記憶部１６および絞込み条件記憶部１７を有している。詳細は後述するが、リスト記憶部１６はリスト管理部１０４により作成されたアドレス帳等のリストを記憶し、絞込み条件記憶部１７は絞込み条件管理部１０５により作成された絞込み条件を記憶する。なお、リスト記憶部１６および絞込み条件記憶部１７は、１つのＨＤＤにより構成するようにしてもよいし、それぞれ異なるＨＤＤにより構成するようにしてもよい。
【００１７】
通信インターフェイス１５は、ネットワーク接続されたパーソナルコンピューター等とのデータ通信を行うためのインターフェイスとして機能する。
【００１８】
表示部１４は、液晶ディスプレイ（ＬＣＤ：Liquid Crystal Display）や有機ＥＬ（ＯＬＥＤ：Organic Light-Emitting Diode）等からなり、各種データの内容や表示装置１を操作する操作者に対する操作案内等を示す画像が表示される。本実施形態では、特に、表示部１４にアドレス帳などの複数の項目が予め定められた順序で列挙されてなるリストが表示される場合におけるスクロール表示に関する内容を説明する。
【００１９】
表示部１４には、タッチパネル部１４１が設けられている。タッチパネル部１４１は、表示部１４の表示画面部分に設けられており、当該表示画面上における操作者による接触を接触位置（座標位置）と共に検知する。タッチパネル部１４１は、操作者による当該接触を検知すると、当該接触位置を示す検知信号を操作受付部１０２等に出力する。なお、当該タッチパネル部１４１には、表示画面への接触がなくても、操作者の指等が表示画面に対して一定距離まで接近した場合に当該指等を検出するタッチパネルも含まれる。このため、本実施形態でいう「接触」には、表示画面への接触がなくても指等が上記一定距離まで接近したことがタッチパネル部１４１の機能により検出される状態も、実質的に接触したとして含まれるものとする。
【００２０】
制御ユニット１０は、上述したように、制御部１００、表示制御部１０１、操作受付部１０２、項目絞込み部１０３、リスト管理部１０４、および絞込み条件管理部１０５を有している。
【００２１】
制御部１００は、表示装置１全体の動作制御を司るものである。例えば、制御部１００は、操作者により後述するアドレス帳の所定の項目が選択された際に、その項目に対応するメールアドレスにメールの送信を行うために、通信インターフェイス１５を用いてメールサーバーとの間でデータ通信を行う。
【００２２】
操作受付部１０２は、タッチパネル部１４１から出力される検知信号に基づき操作者により入力されたユーザー操作を特定する。そして、操作受付部１０２は、特定したユーザー操作を受け付け、当該ユーザー操作に対応する制御信号を制御部１００や表示制御部１０１等に出力する。
【００２３】
ここでユーザー操作には、スクロール操作（スワイプ操作ともいう）、タップ操作、ピンチ操作等がある。例えば、操作者が表示部１４の表示画面上に指を接触させた状態で、指を表示画面上でスライド移動させると、最初に接触を検出した初期位置から、最後に接触を検出した最終位置までの各移動位置を示す検知信号を操作受付部１０２に出力する。操作受付部１０２は、タッチパネル部１４１から出力される上記検知信号から、操作者により入力されたユーザー操作がスクロール操作であることを特定する。そして、操作受付部１０２は、スクロール操作に対応する制御信号を制御部１００や表示制御部１０１等に出力する。
【００２４】
表示制御部１０１は、操作受付部１０２が受け付けたユーザー操作に基づき、表示部１４による表示動作を制御する機能を有する。例えば、操作受付部１０２がスクロール操作を受け付けた場合、表示制御部１０１は、当該スクロール操作に従い表示部１４に表示される画像をスクロール表示させる。
【００２５】
アドレス帳などの複数の項目が予め定められた順序で列挙されてなるリストが表示部１４に表示される場合には、操作者はスクロール操作を入力し当該リストをスクロール表示させることで、リストに列挙される複数の項目の中から所望の項目を見つけ選択することができる。
【００２６】
また、表示制御部１０１は、リストに列挙された複数の項目のうち終端の項目が表示部１４に表示された場合には、当該終端の項目に続けて、複数の項目に対する絞込み条件が入力可能な入力欄を含む検索画面を表示部１４に表示させる。
【００２７】
項目絞込み部１０３は、操作者によりタッチパネル部１４１や不図示のキーボード等を用いた入力に基づき、上記の検索画面の入力欄に入力された絞込み条件を受け付ける。そして、絞込み部１０３は、当該受け付けた絞込み条件に基づきリストに列挙された複数の項目を絞込む。具体的には、絞込み部１０３は、リスト記憶部１６および絞込み条件記憶部１７に記憶されている情報を参照して、受け付けた絞込み条件に合致する属性情報に対応付けられている項目に絞込む。
【００２８】
そして、表示制御部１０１は、項目絞込み部１０３が絞込み条件を受け付けた場合に、項目絞込み部１０３による絞込み結果に応じたリストを上記の検索画面に続けて表示部１４に表示させる。
【００２９】
リスト管理部１０４は、操作者によるタッチパネル部１４１や不図示のキーボード等を用いた入力を受け付けて、複数の項目が列挙されてなるアドレス帳等のリストを作成する機能を有する。そして、リスト管理部１０４は、当該作成したリストを各項目に対する属性情報と対応付けてリスト記憶部１６に記憶させる。
【００３０】
また、絞込み条件管理部１０５は、操作者によるタッチパネル部１４１や不図示のキーボード等を用いた入力を受け付けて、絞込み条件を作成する機能を有する。そして、絞込み条件管理部１０５は、当該作成した絞込み条件を当該絞込み条件に対応する属性情報と対応付けて絞込み条件記憶部１７に記憶させる。
【００３１】
続いて、上記の構成を備える表示装置１の動作について説明する。なお、以下では、複数の項目が予め定められた順序で列挙されてなるリストの一例としてアドレス帳が表示部１４に表示される場合を説明する。図２は、表示装置１におけるスクロール表示動作の流れを示すフローチャートである。図３は、表示部１４に表示されるアドレス帳の一例を示す図である。図４Ａ、図４Ｂ、および図４Ｃは、表示部１４に表示される検索画面の一例を示す図である。
【００３２】
一般に、アドレス帳では、複数の名前（項目）が５０音順に列挙して表示されるが、アドレス帳に登録されている名前の数が多い場合等には、表示部１４の表示画面内にアドレス帳に登録されている名前が全て表示されない場合がある。図３に示す例では、あ行の名前からさ行の名前までの名前が表示部１４に画面Ｄ１として表示されている。
【００３３】
この状態において、操作受付部１０２は、タッチパネル部１４１から出力される検知信号に基づき操作者により入力されたユーザー操作を特定する（ステップＳ１０）。図３に示すように、位置Ａ１から人差し指をスライド移動させ、ある地点Ａ２で当該スライド動作を停止させると、操作受付部１０２は、タッチパネル部１４１から出力される検知信号からスクロール操作を受け付けたことを特定する（ステップＳ１０においてＹＥＳ）。この場合、操作受付部１０２からスクロール操作に対応する制御信号を表示制御部１０１に出力され、表示制御部１０１は、当該制御信号に従って表示部１４に表示されるアドレス帳をスクロール表示させる（ステップＳ１１）。
【００３４】
アドレス帳をスクロール表示させた結果、アドレス帳の終端が表示された場合（ステップＳ１２においてＹＥＳ）、当該終端に続けて、所定の検索画面を表示部１４に表示させる（ステップＳ１３）。
【００３５】
図４Ａに示す例では、表示制御部１０１は、アドレス帳の終端Ｄ２に続けて、複数の名前に対する絞込み条件が入力可能な入力欄Ｄ４を含む検索画面Ｄ３を表示部１４に表示させている。また、表示制御部１０１は、検索画面Ｄ３に続けて、アドレス帳の始端Ｄ１から再度アドレス帳を表示部１４に表示させている。
【００３６】
項目絞込み部１０３は、入力欄Ｄ４に絞込み条件が入力され、当該絞込み条件を受け付けたか否かを判定する（ステップＳ１４）。絞込み条件とは、アドレス帳に列挙された複数の名前を絞り込むための条件であり、操作者によりタッチパネル部１４１や不図示のキーボード等を用いて入力される。図４Ｂに示す例では、当該絞込み条件として「野球」が入力されている。
【００３７】
絞込み条件を受け付けた場合（ステップＳ１４においてＹＥＳ）、項目絞込み部１０３は、リスト記憶部１６および絞込み条件記憶部１７に記憶されている情報を参照して、アドレス帳に列挙された名前を、絞込み条件に合致する属性情報に対応付けられている名前に絞込む（ステップＳ１５）。
【００３８】
図５は、絞込み条件記憶部１７に記憶されている内容の一例を示す図である。図６は、リスト記憶部１６に記憶されている内容の一例を示す図である。
【００３９】
絞込み条件記憶部１７には、複数の絞込み条件が属性情報と対応付けて記憶されている。図５に示す例では、絞込み条件「野球」に対応する属性として、「男性」および「１５歳〜４５歳」が絞込み条件記憶部１７に記憶されている。また、絞込み条件「結婚式」に対応する属性として、「Ａ会社」および「Ｅ大学」が絞込み条件記憶部１７に記憶されている。項目絞込み部１０３は、図４Ｂに示すように、絞込み条件として「野球」を受け付けた場合、「男性」および「１５歳〜４５歳」の属性に対応付けられている名前をリスト記憶部１６に記憶されている情報から特定する。
【００４０】
リスト記憶部１６には、アドレス帳の名前が属性情報と対応付けて記憶されている。図６に示す例では、名前「相川太郎」に対応する属性として、「男」、「Ａ会社」、「Ｅ大学」および「４４歳」がリスト記憶部１６に記憶されている。また、名前「浅田花子」に対応する属性として、「女」および「３９歳」がリスト記憶部１６に記憶されている。項目絞込み部１０３は、図４Ｂに示すように、絞込み条件として「野球」を受け付けた場合、「男性」および「１５歳〜４５歳」の属性に対応付けられている名前として、「相川太郎」等の名前を特定する。
【００４１】
上記のステップＳ１５の処理の後、表示制御部１０１は、項目絞込み部１０３により絞込まれた名前のみが列挙されてなるアドレス帳を作成する。そして表示制御部１０１は、図４Ｃに示すように当該作成したアドレス帳Ｄ５を表示部１４に表示させる（ステップＳ１６）。
【００４２】
なお、操作者が入力欄Ｄ４に絞込み条件を入力せずにスクロール操作を入力し、操作受付部１０２がスクロール操作を受け付けた場合には、表示制御部１０１は、アドレス帳の始端Ｄ１から再度アドレス帳をスクロール表示させる。
【００４３】
リストに列挙される項目が多い場合や似た項目が続いている場合等では、操作者が複数の項目の中から所望の項目を見つけ難い場合がある。例えば、アドレス帳において同じ苗字を有する名前が複数ある場合、その中から所望の名前を見つけることは困難である。このため、操作者がアドレス帳を一度始端から終端までスクロール表示した場合であっても、所望の名前を見つけられない場合がある。このような名前の見逃しが発生した場合、従来では、操作者は逆方向にスクロール操作を行い、アドレス帳をさかのぼってスクロール表示させる必要があった。
【００４４】
この点、上記の構成を備える本実施の形態にかかる表示装置１によれば、リストに列挙された複数の項目のうち終端の項目が表示部１４に表示された場合には、アドレス帳の始端から再度アドレス帳をスクロール表示させている。これにより、操作者は、名前を見逃した場合であっても、逆方向にスクロール操作を行う必要がなく、操作性が向上する。
【００４５】
また、上記の構成を備える本実施の形態にかかる表示装置１によれば、アドレス帳の終端の項目に続けて、複数の項目に対する絞込み条件が入力可能な入力欄Ｄ４を含む検索画面Ｄ３を表示部１４に表示させている。そして、この入力欄Ｄ４に絞込み条件が操作者により入力された場合、表示装置１は、当該入力された絞込み条件に基づきアドレス帳の名前の絞込みを行い、この絞込み結果に応じたアドレス帳を検索画面Ｄ３に続けて表示部１４に表示させている。具体的には、表示装置１は、複数の名前のうち絞込んだ名前のみを列挙されてなるアドレス帳を検索画面Ｄ３に続けて表示部１４に表示させている。
【００４６】
単に、操作者が一度名前を見逃したアドレス帳を再度スクロール表示させるのではなく、操作者が入力した絞込み条件に基づく絞込み結果に応じたアドレス帳を検索画面Ｄ３に続けて表示部１４に表示させているため、検索性が向上する。すなわち、本実施の形態にかかる表示装置１によれば、操作性を低下させることなく、操作者の所望とする項目を見つけ易くすることができる。
【００４７】
なお、本発明は、上記の実施の形態の構成に限られず種々の変形が可能である。例えば、上記実施形態では、本発明にかかる表示装置の一実施形態としてスマートフォン等の携帯モバイル機器を例にした表示装置１を示しているが、本発明は必ずしもこの場合に限定されない。本発明は、スマートフォン等の携帯モバイル機器の他に、例えば、パーソナルコンピューターや画像形成装置等の表示部を有する機器に適用が可能である。
【００４８】
また、上記の実施の形態では、タッチパネル機能を用いたスワイプ操作により、表示部１４に表示された画像をスクロール表示させる場合を説明したが、本発明は必ずしもこの場合に限定されない。タッチパネル機能を用いないスワイプ操作により、表示部１４に表示された画像をスクロール表示させてもよい。このような操作には、例えば、マウス等に設けられたホイールボタンの回転によるスクロール操作やスクロールバーの選択によるスクロール操作がある。
【００４９】
以下では、他の変形例について説明する。
＜変形例１＞
変形例１にかかる表示装置は、上記の実施の形態にかかる表示装置１と同様に、絞込み結果に応じたリストを検索画面に続けて表示させるものであるが、表示するリストの内容が上記の実施の形態にかかる表示装置１と異なる。
【００５０】
図７は、変形例１にかかる表示装置におけるスクロール表示動作の流れを示すフローチャートである。なお、図２に示すフローチャートで説明した処理と同様の処理については同符号を付して説明を略する。図８は、変形例１にかかる表示部に表示されるアドレス帳の絞込み結果の一例を示す図である。
【００５１】
変形例１にかかる表示装置において、ステップＳ１５の項目絞込み処理の後、表示制御部１０１は、項目絞込み部１０３により絞込まれた名前をそれ以外の名前と表示形態を異ならせて列挙されてなるアドレス帳を作成する。そして表示制御部１０１は、図８に示すように当該作成したアドレス帳Ｄ６を表示部１４に表示させる（ステップＳ２６）。図８に示す例では、名前に下線が引かれることにより、項目絞込み部１０３により絞込まれた名前がそれ以外の名前よりも強調して表示されている。なお、文字の大きさを大きくする等して絞込まれた名前をそれ以外の名前よりも強調してもよい。
【００５２】
変形例１にかかる表示装置によれば、単に、操作者が一度名前を見逃したアドレス帳を再度スクロール表示させるのではなく、操作者が入力した絞込み条件により絞り込まれた名前をそれ以外の名前と表示形態を異ならせて表示したアドレス帳を検索画面に続けて表示部１４に表示させているため、検索性が向上している。
【００５３】
＜変形例２＞
上記の実施の形態で説明したリストに列挙された項目を絞り込む機能を有効にするか無効にするかを操作者が選択できるようにしてもよい。図９（Ａ）は、変形例２にかかる表示装置の設定画面の一例を示す図であり、図９（Ｂ）は、変形例２にかかる表示装置に表示されるアドレス帳の一例を示す図である。
【００５４】
変形例２にかかる表示装置において、表示制御部１０１は、絞込み機能を有効にするか否かを受け付けるための設定画面Ｄ７を表示部１４に表示させる。そして、項目絞込み部１０３は、操作者によりタッチパネル部１４１や不図示のキーボード等を用いて入力された絞込み機能を有効にするか否かの設定を受け付ける。
【００５５】
表示制御部１０１は、項目絞込み部１０３が絞込み機能を有効にしない旨の設定を受け付けた場合、図９（Ｂ）に示すように、アドレス帳の終端Ｄ２に続けて、アドレス帳の始端Ｄ１から再度アドレス帳を表示部１４に表示させ、検索画面Ｄ３を表示させない。
【符号の説明】
【００５６】
１     表示装置
１０   制御ユニット
１４   表示部
１６   リスト記憶部
１７   絞込み条件記憶部
１００ 制御部
１０１ 表示制御部
１０２ 操作受付部
１０３ 項目絞込み部
１０４ リスト管理部
１０５ 絞込み条件管理部
１４１ タッチパネル部
【図１】
2015162134.tif 000003
【図２】
2015162134.tif 000004
【図３】
2015162134.tif 000005
【図４Ａ】
2015162134.tif 000006
【図４Ｂ】
2015162134.tif 000007
【図４Ｃ】
2015162134.tif 000008
【図５】
2015162134.tif 000009
【図６】
2015162134.tif 000010
【図７】
2015162134.tif 000011
【図８】
2015162134.tif 000012
【図９】
2015162134.tif 000013